(57)【要約】【課題】    狭小地での設置に適し、施工場所にある障害物の制約を受けずに施工することができ、梁を切断加工することなく良好な外観が得られ且つ施工作業を簡略化した簡易構築物を提供する。【解決手段】    支柱２の上部に梁３を設け、該梁３に屋根体５を吊下げた簡易構築物１であって、梁３は支柱２上部に固定した固定部３１と固定部３１の長手方向に沿って移動可能な伸縮部３２とから構成され、固定部３１と伸縮部３２に梁３に屋根体５を取り付ける連結部材４を設け、少なくとも一つの連結部材４Ｂは伸縮部３２に位置を固定して設け、他の連結部材４Ａは固定部３１の長手方向に沿って移動可能に取付け、梁３の伸縮部３２の移動位置を調整することにより、支柱２に対する屋根体５の取付け位置を調整可能とした。【選択図】        図１
2006097364.tif 000002
【特許請求の範囲】
【請求項１】
支柱の上部に梁を設け、該梁に屋根体を取付けた簡易構築物であって、梁は支柱上部に固定した固定部と固定部の長手方向に沿って移動可能な伸縮部とから構成され、梁の伸縮部の移動位置を調整することにより、支柱に対する屋根体の取付け位置を調整可能としたことを特徴とする簡易構築物。
【請求項２】
複数の連結部材を介して梁に屋根体を取付け、少なくとも一つの連結部材は伸縮部に位置を固定して設け、他の連結部材は固定部の長手方向に沿って移動可能に取付けたことを特徴とする請求項１に記載の簡易構築物。
【請求項３】
連結部材は梁と交差する屋根体の長手方向に沿って移動可能として屋根体に取付けたことを特徴とする請求項２に記載の簡易構築物。
【請求項４】
連結部材を介して梁の下方に屋根体を吊下げたことを特徴とする請求項１乃至３の何れかに記載の簡易構築物。
【請求項５】
屋根体が高さ方向に湾曲しており、高さ方向における連結部材の長さを調整可能としたことを特徴とする請求項４に記載の簡易構築物。
【発明の詳細な説明】
【技術分野】
【０００１】
この発明は、車庫、遊歩道等に設置される雨除け屋根体を有する簡易構築物に関するものであり、支柱に対する屋根体の取付け位置を変更可能な簡易構築物に関するものである。
【背景技術】
【０００２】
従来、車庫や遊歩道に設置される簡易構築物として、設置場所に立設した支柱の上部に、屋根体を取付けたものが知られている。通常、屋根体に対する支柱の立設位置は決まっているので、支柱の位置にマンホール等の障害物が位置していると、屋根体の位置も変えなくてはならないものであった。
【０００３】
特許文献１には、屋根体を取付ける梁の長さを、屋根体の間口寸法よりも長くし、梁の長手方向において屋根体の取付け位置を可変とした簡易建物が開示されている。
引用文献１によれば、屋根体を形成する位置を変えることなく、梁の長さ方向において支柱の立設位置を変えることができるので、支柱の立設位置にマンホール等の障害物が存在していても、それを避けて支柱を立設することができ、施工場所の制約を受け難いものである。
【０００４】
しかしながら、特許文献１に記載の簡易建物は、梁の長さを屋根の間口寸法よりも長くし、その長さも固定されているので、屋根位置に対して支柱が離れた位置に立設することとなり、狭小地での施工には不向きなものである。
また、異なる間口寸法の屋根体を梁に取付ける場合、屋根体の大きさに関わらず、梁の長さが同じだとバランスの悪い外観となるので、屋根の間口寸法に合わせて長さの異なる梁を用意しなければならないものであった。
さらに、施工場所の大きさに合わせて梁を切り詰めて長さ調整する場合、梁の切断作業が必要となり、施工作業が煩雑なものであった。
【０００５】
【特許文献１】特開２００２−２５６６２３号公報
【発明の開示】
【発明が解決しようとする課題】
【０００６】
本発明の目的は、狭小地での設置に適し、施工場所にある障害物の制約を受けずに施工することができ、梁を切断加工することなく良好な外観が得られ且つ施工作業を簡略化した簡易構築物を提供することにある。
【課題を解決するための手段】
【０００７】
本発明者等は、このような事情に鑑み鋭意検討を重ねた結果、支柱の上部に梁を設け、該梁に屋根体を取付けた簡易構築物であって、梁は支柱上部に固定した固定部と固定部の長手方向に沿って移動可能な伸縮部とから構成され、梁の伸縮部の移動位置を調整することにより、支柱に対する屋根体の取付け位置を調整可能としたことによって、所期の目的を達成したものである。
【０００８】
請求項２に記載の発明は、複数の連結部材を介して梁に屋根体を取付け、少なくとも一つの連結部材は伸縮部に位置を固定して設け、他の連結部材は固定部の長手方向に沿って移動可能に取付けたものである。
【０００９】
請求項３に記載の発明は、連結部材は梁と交差する屋根体の長手方向に沿って移動可能として屋根体に取付けたものであり、梁の長手方向だけでなく、梁と交差する屋根体の長手方向においても屋根体の位置を調整することができる。
【００１０】
請求項４に記載の発明は、連結部材を介して梁の下方に屋根体を吊下げたものであり、屋根体の下方には梁が存在せず、屋根体下方空間を有効利用することができる。
【００１１】
請求項５に記載の発明は、屋根体が高さ方向に湾曲しており、高さ方向における連結部材の長さを調整可能としたものであり、屋根体の形状に左右されずに位置調整が可能となる。
【発明の効果】
【００１２】
本発明の簡易構築物によれば、設置場所の条件に合わせて梁を適当な長さに調整し、屋根体から支柱の立設位置までの距離を最小限に留めると共に、屋根体の間口寸法が変化しても同じ梁を用いることができ、施工現場において梁を切断加工することなく、施工作業を簡略化することができる。
【発明を実施するための最良の形態】
【００１３】
以下、本発明を実施するための最良の形態を実施例に基づき説明する。
図１乃至図６は本発明簡易構築物の第１実施例であり、１台用の車庫に適用した例を示す。図中１は簡易構築物を表わし、簡易構築物１は、施工場所に立設した支柱２と、支柱２の上端に設けられた水平状の梁３と、連結部材４を介して梁３の下方に吊持ちされた屋根体５とから構成されている。支柱２はアルミニウム製形材により形成されており、上端部には梁３との連結箇所を補強するＬ字形のスチール製の補強金具Ｈが設けられている。
【００１４】
梁３は支柱２の上端部に固定される固定部３１と、固定部３１の先端に内嵌する伸縮部３２とから構成されている。固定部３１と伸縮部３２は共にアルミニウム製形材によって形成されており、断面略四角形状を呈している。固定部３１の内側四隅には溝部３１１が形成されており、一方伸縮部３２の外側四隅には溝部３１１に嵌合する突条３２１が形成され、固定部３１に対して伸縮部３２がガタ付くこと無く、固定部３１の長手方向に沿って移動自在となっている。なお、本実施例においては、溝部３１１と突条３２１の嵌合によって伸縮部３２をガイドしているが、固定部３１と伸縮部３２がガタ付きなく嵌合する構成であれば、種々の嵌合形態を採用することができる。
【００１５】
伸縮部３２の上下面には蟻溝３２２が形成され、該蟻溝３２２には固定プレート６が嵌入している。固定プレート６には螺子孔６１が形成されており、固定部３１の先端付近に形成した孔に挿通する螺子７を螺子孔６１に螺入している。螺子７を締めつけることによって、固定プレート６を蟻溝３２２の壁面に引き付け、伸縮部３２の移動を阻止することができる。
なお、本実施例における固定部３１の長さは２４００ｍｍ、伸縮部３２が１２００ｍｍ、屋根体５の間口が２７００ｍｍであり、伸縮部３２は５００ｍｍの移動調整が可能である。
【００１６】
連結部材４（４Ａ，４Ｂ）は、固定部３１と伸縮部３２に設けられている。固定部３１に設けられる連結部材４Ａは、図３に示すとおり、固定部３１に外嵌する抱持金具４１と、抱持金具４１と係合する支持金具４２と、支持金具４２の透孔４２１に挿通する螺子シャフト４３と、螺子シャフト４３の螺子部４３１と螺合する雌螺子部材４４と、螺子シャフト４３の下側先端に回動自在に取付けられる固定金具４５とから構成されている。
【００１７】
抱持金具４１の先端部は、固定部３１の上下面に形成される係止溝３１２に係止し、抱持金具４１が固定部３１の長手方向に沿って移動自在である。抱持金具４１の上下位置には長孔４１１が形成され、該長孔４１１に支持金具４２の上面部４２２と、下面部４２３を挿通し、抱持金具４１と支持金具４２が係合している。よって、螺子８を用いて抱持金具４１を固定部３１に螺子止めすることにより、支持金具４２の位置も固定される。
【００１８】
支持金具４２の下面部４２３に透孔４２１が形成され、該透孔４２１には螺子シャフト４３の螺子部４３１が挿通されている。上面部４２２と下面部４２３の間に位置する螺子シャフト４３の螺子部４３１と雌螺子部材４４とが螺合し、螺子シャフト４３は透孔４２１から抜け止めされている。雌螺子部材４４の上端部には、上面部４２２の透孔４２１を挿通した螺子部材９が螺合し、螺子シャフト４３のガタ付きを抑えている。なお、図中１０は、螺子シャフト４３の動きを止める固定ナットであり、Ｃは支持金具４２、雌螺子部材４４等を覆い隠す剛性樹脂製のカバー部材である。
【００１９】
螺子シャフト４３の下端部には透孔４３２が設けられており、該透孔４３２と固定金具４５の透孔４５１にピン１１を挿通し、固定金具４５がピン１１を中心に回動自在とされている。固定金具４５の前後位置には透孔４５２が設けられ、該透孔４５２に挿通した螺子部材１２が、屋根体５の係止溝５１１に嵌入した固定プレート１３の螺子孔１３１に螺入している。
【００２０】
一方、伸縮部３２の先端に設けた連結部材４Ｂは、伸縮部３２の下面に形成した透孔３２３を挿通する螺子シャフト４３と、螺子シャフト４３の螺子部４３１と螺合する雌螺子部材４４と、螺子シャフト４３の下側先端に回動自在に取付けられる固定金具４５とから構成されている。連結部材４Ａの螺子シャフト４３は、抱持金具４１と支持金具４２を介して固定部３１に取付けられているのに対し、連結部材４Ｂの螺子シャフト４３は、直接伸縮部３２に取付けられている。なお、連結部材４Ａと同じ構成については、同一符号を用いその説明を省略する。
【００２１】
屋根体５は、両側に位置する桁部材５１，５１と前後に位置する水切部材５２，５２を方形状に枠組みし、対向する桁部材５１，５１間に適当な間隔をおいて中間梁５３を平行に架設し、該中間梁５３の上に母屋材５４を直交させて配設し、中間梁５３と母屋材５４の上から屋根板材５５を敷設し、屋根板材５５の縁部を母屋材５４に取付ける屋根押え５６によって押付固定している。
【００２２】
以上の構成からなる簡易構築物１を施工順に説明する。
先ず、支柱２の上端に補強金具Ｈの垂直部を嵌入し、螺子等を用いて固定する。補強金具Ｈの水平部には、梁３の固定部３１を外嵌し、螺子等を用いて固定する。
固定部３１の先端開口部より伸縮部３２を嵌入し、蟻溝３２２に挿入してある固定プレート６の螺子孔６１に、固定部３１の先端部の透孔に挿通した螺子７を螺入し、螺子７を軽く締めて、固定部３１と伸縮部３２を仮固定しておく。
次に、連結部材４Ａの抱持金具４１と、固定部３１の係止溝３１２を係合し、固定部３１の長手方向における連結部材４Ａの位置を合わせる。なお、連結部材４Ａの位置は、連結部材４Ｂが伸縮部３２の先端に固定しているので、連結部材４Ｂの固定位置から屋根体５の間口幅分だけ距離をおいた位置に合わせておけば良い。
【００２３】
次に、Ｌ字形に連結された支柱２と梁３を施工場所に立設する。支柱２を立設する際、立設位置にマンホール等の障害物が存在する場合、この障害物を避けて支柱２を立設する。
支柱２を立設した後、連結部材４（４Ａ，４Ｂ）に屋根体５の桁部材５１を取付ける。桁部材５１の係止溝５１１には予め固定プレート１３を嵌入しておき、固定プレート１３の螺子孔１３１に、固定金具４５の透孔４５２を挿通する螺子部材１２を螺入する。この時、桁部材５１の前後方向における位置は、係止溝５１１内における固定プレート１３をスライドすることによって調整可能である。
【００２４】
桁部材５１が高さ方向に湾曲している場合、桁部材５１を前後に移動すると、梁３の下面と桁部材５１の上面との間隔も当然変えなければならないが、雌螺子部材４４を回すことにより、螺子シャフト４３との螺合位置が変化し、支持金具４２あるいは伸縮部３２からの螺子シャフト４３の突出長さが変化し、梁３の下面と桁部材５１の上面との間隔を調整することができる。なお、連結部材４Ａの雌螺子部材４４を回す場合、カバー部材Ｃを取外した状態とし、連結部材４Ｂの雌螺子部材４４を回す場合、伸縮部３２の先端開口より操作する。
桁部材５１の位置が決まると、対向する桁部材５１，５１間に水切部材５２と中間梁５３を固定し、次いで中間梁５３の上に母屋材５４を取付け、さらに上から屋根板材５５を敷設し、屋根押え５６によって屋根板材５５を固定し、屋根体５が完成する。
【００２５】
最後に、固定部３１に対する伸縮部３２の位置の調整が必要であれば、微調整を行う。屋根体５を吊下げている連結部材４Ａは、固定部３１の長手方向に沿って移動可能なので、伸縮部３２の位置調整を行っても、連結部材４Ａもこれに追従する。
屋根体５の位置が確定すれば、螺子７を緊締して固定プレート６の位置を固定し、固定部３１に対する伸縮部３２の位置を固定する。さらに、螺子８を用いて連結金具４Ａの抱持金具４１を固定部３１に螺子止めし、固定部３１の長手方向における連結部材４Ａの位置を固定して簡易構築物の施工が完了する。
なお、図６に示した第１実施例の簡易構築物１の斜視図において、固定部３１と移動部３２から成る梁３を使用しているのは、右下側の梁３である。立設位置に障害物がある支柱２の梁３だけを、固定部３１と移動部３２から成る梁３とすることができる。
【００２６】
図７乃至８は、本発明第２実施例を表わす。
第２実施例は複数台並列駐車可能な車庫に適用した例であり、支柱２が間口方向の両側に位置し、各支柱２の上端に設けた梁３の固定部３１が対向し、夫々の固定部３１に同一部材より成る伸縮部３２の両端を嵌合している。固定部３１に対する伸縮部３２の嵌合位置を変化することにより、対向する支柱２間の距離が変化する。
なお、第２実施例において第１実施例と同じ部分については同一符号を用い、その説明は省略する。
【００２７】
第２実施例において第１実施例と異なる構成は、上述の支柱２と梁３の固定部３１が対向して設けられ、一つ部材から成る伸縮部３２の両端を固定部３１に嵌合した点と、第１実施例における連結部材４Ｂの螺子シャフト４３は、伸縮部３２に直接取付けられていたが、第２実施例では伸縮部３２の側方位置に支持金具４２を介して取付けた点である。
【００２８】
第２実施例における連結部材４Ｂは、伸縮部３２の内側に保持プレート３２１を挿入固定しておき、連結部材４Ｂの支持金具４２と伸縮部３２の透孔を挿通する螺子１４を保持プレート３２１に穿設した螺子孔３２１１に螺入することによって、支持金具４２を伸縮部３２の側面に固定している。なお、保持プレート３２１は、伸縮部３２の変形を防ぐために設けているが、伸縮部３２に所定の強度が得られるならば、伸縮部３２に支持金具４２を直接取付けても構わない。
図７におけるＡ−Ａ線断面図とＣ−Ｃ線断面図は、第１実施例におけるＡ−Ａ線断面図（図３）とＣ−Ｃ線断面図（図５）と同一なので省略する。
【００２９】
以上の構成からなる本発明第２実施例の簡易構築物１を施工順に説明する。
先ず、両側に位置する支柱２，２の上端に補強金具Ｈ，Ｈの垂直部を嵌入し、螺子等により固定する。補強金具Ｈの水平部には、梁３の固定部３１を夫々外嵌し、螺子等により固定する。
対向する固定部３１の先端に、伸縮部３２の両側を嵌入し、蟻溝３２２に挿入した固定プレート６の螺子孔６１に、固定部３１の先端部の透孔に挿通した螺子７を螺入して軽く締めておき、固定部３１と伸縮部３２を仮固定しておく。次に、連結部材４Ａの抱持金具４１と、固定部３１の係止溝３１２を係合し、固定部３１の長手方向における連結部材４Ａの位置を合わせる。なお、連結部材４Ａの位置は、連結部材４Ｂが伸縮部３２の中間位置に固定されているので、連結部材４Ｂの位置から屋根体５の吊持位置の幅分だけ距離をおいた位置に合わせておけば良い。
【００３０】
次に、門形に連結された支柱２と梁３を施工場所に立設する。支柱２を立設する際、固定位置にマンホール等の障害物がある場合、この障害物を避けて支柱２を立設する。支柱２を立設した後、連結部材４Ａには両側に位置する桁部材５１を、連結部材４Ｂには屋根体５の中間位置に存在する垂木部材５７を取付ける。桁部材５１の係止溝５１１、垂木部材５７の係止溝５７１には予め固定プレート１３を嵌入しておき、固定プレート１３の螺子孔１３１に、固定金具４５の透孔４５２を挿通する螺子部材１２を螺入する。この時、桁部材５１と垂木部材５７の前後方向における位置は、係止溝５１１、５７１内において固定プレート１３をスライドすることによって調整可能である。
【００３１】
桁部材５１と垂木部材５７が高さ方向に湾曲している場合、桁部材５１と垂木部材５７を前後に移動すると、梁３の下面と桁部材５１、垂木部材５７の上面との間隔も当然変えなければならないが、雌螺子部材４４を回すことにより、螺子シャフト４３との螺合位置が変化し、梁３の下面と桁部材５１、垂木部材５７の上面との間隔を調整することができる。
桁部材５１と垂木部材５７の位置が決まると、平行に配置された桁部材５１，垂木部材５７間に水切部材５２と中間梁５３を固定し、中間梁５３の上に母屋材５４を取付け、さらに上から屋根板材５５を敷設し、屋根押え５６によって屋根板材５５を固定して屋根体５が完成する。
【００３２】
最後に、固定部３１に対する伸縮部３２の位置の調整が必要であれば、微調整を行う。屋根体５を吊下げている連結部材４Ａは、固定部３１の長手方向に沿って移動可能なので、固定部３１に対する伸縮部３２の位置調整を行っても、連結部材４Ａの位置はこれに追従する。
屋根体５の位置が確定すれば、螺子７を緊締して固定プレート６の位置を固定し、固定部３１に対する伸縮部３２の位置を固定する。さらに、螺子８を用いて連結金具４Ａの抱持金具４１を固定部３１に螺子止めし、固定部３１の長手方向における連結部材４Ａの位置を固定して簡易構築物の施工が完了する。
【００３３】
上記実施例において、屋根体５は連結部材４を介して梁３の下方に吊下げているが、梁３の上方に屋根体５を載置しても構わない。また、屋根体５の形状も、フラットな形状、左右に湾曲する形状等種々の形状のものを用いることができる。
【図面の簡単な説明】
【００３４】
【図１】第１実施例における本発明簡易構築物の正面図
【図２】第１実施例における本発明簡易構築物の要部を表わす平面図
【図３】図１におけるＡ−Ａ線断面図
【図４】図１におけるＢ−Ｂ線断面図
【図５】図１におけるＣ−Ｃ線断面図
【図６】第１実施例における本発明簡易構築物の斜視図
【図７】第２実施例における本発明簡易構築物の正面図
【図８】図７におけるＤ−Ｄ線断面図
【符号の説明】
【００３５】
１      簡易構築物
２      支柱
３      梁
４（４Ａ，４Ｂ）      連結部材
５      屋根体
３１      固定部
３２      伸縮部
【図１】
2006097364.tif 000003
【図２】
2006097364.tif 000004
【図３】
2006097364.tif 000005
【図４】
2006097364.tif 000006
【図５】
2006097364.tif 000007
【図６】
2006097364.tif 000008
【図７】
2006097364.tif 000009
【図８】
2006097364.tif 000010